(57)【要約】  本発明の実施形態は、第１および第２の同期イーサネット「ＳｙｎｃＥ」ドメイン間で時間を分配するための方法であり、前記第１および第２のドメインは、第３の、同期光ネットワーキング／同期デジタル階層「ＳＤＨ−ＳＯＮＥＴ」ドメインによって相互接続される方法であって、時間関連基準パラメータは、同期イーサネット「ＳｙｎｃＥ」ドメインを通じて、イーサネット同期メッセージングチャネル「ＥＳＭＣ」メッセージの少なくとも１つの追加のタイプ長さ値「ＴＬＶ」フィールドによって分配され、対応する時間関連基準パラメータは、同期光ネットワーキング／同期デジタル階層「ＳＯＮＥＴ−ＳＤＨ」ドメインを通じて、ＩＥＥＥ  １５８８  Ｖ２プロトコルのメッセージ内の少なくとも１つの追加のタイプ長さ値「ＴＬＶ」フィールドによって分配される、時間を分配するための方法に関する。
2013534109.tif 000002
【特許請求の範囲】
【請求項１】
第１および第２の同期イーサネット「ＳｙｎｃＥ」ドメイン（１）間で時間を分配するための方法であり、前記第１および第２のドメインは、第３の、同期光ネットワーキング／同期デジタル階層「ＳＤＨ−ＳＯＮＥＴ」ドメイン（３）によって相互接続される方法であって、時間関連基準パラメータは、同期イーサネット「ＳｙｎｃＥ」ドメイン（１）を通じて、イーサネット同期メッセージングチャネル「ＥＳＭＣ」メッセージ（５）の少なくとも１つの追加のタイプ長さ値「ＴＬＶ」フィールド（７）によって分配され、対応する時間関連基準パラメータは、同期光ネットワーキング／同期デジタル階層「ＳＯＮＥＴ−ＳＤＨ」ドメイン（３）を通じて、ＩＥＥＥ  １５８８  Ｖ２プロトコルのメッセージ（１１）内の少なくとも１つの追加のタイプ長さ値「ＴＬＶ」フィールド（７）によって分配される、時間を分配するための方法。
【請求項２】
ＩＥＥＥ  １５８８  Ｖ２プロトコルメッセージがＳＹＮＣメッセージである、請求項１に記載の時間を分配するための方法。
【請求項３】
ＩＥＥＥ  １５８８  Ｖ２プロトコルメッセージがＡＮＮＯＵＮＣＥメッセージである、請求項１に記載の時間を分配するための方法。
【請求項４】
同期イーサネット「ＳｙｎｃＥ」ドメイン（１）を通じて分配された時間関連基準パラメータが、ＳｙｎｃＥドメインのマスタークロック値を備える、請求項１から３のいずれか一項に記載の時間を分配するための方法。
【請求項５】
同期光ネットワーキング／同期デジタル階層「ＳＯＮＥＴ−ＳＤＨ」ドメイン（３）を通じて分配された対応する時間関連基準パラメータが、タイムスタンプ値を備える、請求項１から４のいずれか一項に記載の時間を分配するための方法。
【請求項６】
同期光ネットワーキング／同期デジタル階層「ＳＯＮＥＴ−ＳＤＨ」ドメイン（３）による、ＩＥＥＥ１５８８Ｖ２プロトコルのメッセージ（１１）の前記少なくとも１つの追加のタイプ長さ値「ＴＬＶ」フィールド（７）の値に対する変更を可能にするように、受信されたイーサネット同期メッセージングチャネル「ＥＳＭＣ」メッセージ（５）の少なくとも１つの追加のタイプ長さ値「ＴＬＶ」フィールド（７）から、ＩＥＥＥ１５８８Ｖ２プロトコルのメッセージへのマッピングが、同期ネットワークマネージャによって、送信元境界ハイブリッドノード（１３）内で実行される、請求項１から５のいずれか一項に記載の時間を分配するための方法。
【請求項７】
ＩＥＥＥ  １５８８  Ｖ２のメッセージ（１１）が、マルチプロトコルラベルスイッチング「ＭＰＬＳ」トンネル（１９）内でカプセル化される、請求項１から６のいずれか一項に記載の時間を分配するための方法。
【請求項８】
受信されたＩＥＥＥ１５８８Ｖ２プロトコルメッセージ（１１）の少なくとも１つの追加のタイプ長さ値「ＴＬＶ」フィールド（７）から、イーサネット同期メッセージングチャネル「ＥＳＭＣ」（５）上へのマッピングが、同期ネットワークマネージャ（１７）によって、宛先境界ハイブリッドノード（２１）内で行われる、請求項１から７のいずれか一項に記載の時間を分配するための方法。
【請求項９】
同期イーサネット「ＳｙｎｃＥ」ドメイン（１）を通じて分配された時間関連基準パラメータが、ＳｙｎｃＥドメイン（１）のマスタークロック値を備える、請求項３に記載の時間を分配するための方法。
【請求項１０】
同期光ネットワーキング／同期デジタル階層「ＳＯＮＥＴ−ＳＤＨ」ドメイン（３）を通じて分配された対応する時間関連基準パラメータが、同期イーサネットドメイン「ＳｙｎｃＥ」のマスタークロックと、同期光ネットワーキング／同期デジタル階層「ＳＯＮＥＴ−ＳＤＨ」ドメイン（３）のマスタークロックとの間のオフセット値を備える、請求項９に記載の時間を分配するための方法。
【請求項１１】
第１の同期イーサネット「ＳｙｎｃＥ」ドメインのマスタークロック値が、同期光ネットワーキング／同期デジタル階層「ＳＯＮＥＴ−ＳＤＨ」ドメイン（３）のマスタークロック値に基づいて、および、ＡＮＮＯＵＮＣＥメッセージ（１２）によって送信されたオフセット値に基づいて、宛先境界ハイブリッドノード（２１）内で取り出される、請求項９または１０に記載の時間を分配するための方法。
【請求項１２】
送信元境界ハイブリッドノード（１３）であって：
−  同期イーサネット「ＳｙｎｃＥ」ドメイン（１）のマスタークロック値に関連付けられた、少なくとも１つのタイプ長さ値「ＴＬＶ」フィールドを備える、イーサネット同期メッセージングチャネル「ＥＳＭＣ」メッセージを受信するように構成された手段と、
−  少なくとも１つがマスタークロック値に関連付けられる、イーサネット同期メッセージングチャネル「ＥＳＭＣ」メッセージのタイプ長さ値「ＴＬＶ」フィールドを、１５８８Ｖ２プロトコルのＳＹＮＣまたはＡＮＮＯＵＮＣＥメッセージ（１１）の追加のタイプ長さ値「ＴＬＶ」フィールドでマッピングするように構成された手段と、
−  前記追加のタイプ長さ値「ＴＬＶ」フィールドを備えるＳＹＮＣまたはＡＮＮＯＵＮＣＥメッセージを、同期光ネットワーキング／同期デジタル階層「ＳＯＮＥＴ−ＳＤＨ」ドメイン（３）を通じて、トンネル内で、カプセル化および送信するように構成された手段とを備える、送信元境界ハイブリッドノード（１３）。
【請求項１３】
宛先境界ハイブリッドノード（２１）であって：
−  少なくとも１つがマスタークロック値に関連付けられる、タイプ長さ値「ＴＬＶ」フィールドを備える、１５８８Ｖ２プロトコルのＳＹＮＣまたはＡＮＮＯＵＮＣＥメッセージ（１１）を受信およびカプセル化解除するように構成された手段であって、前記メッセージは、同期光ネットワーキング／同期デジタル階層「ＳＯＮＥＴ−ＳＤＨ」ドメイン（３）を通じて、トンネル内で送信された手段と、
−  少なくとも１つがマスタークロック値に関連付けられる、送信されたＳＹＮＣまたはＡＮＮＯＵＮＣＥメッセージ（１１）のタイプ長さ値「ＴＬＶ」フィールドを、イーサネット同期メッセージングチャネル「ＥＳＭＣ」メッセージのタイプ長さ値「ＴＬＶ」フィールドでマッピングするように構成された手段と、
−  少なくとも１つがマスタークロック値に関連付けられる、タイプ長さ値「ＴＬＶ」フィールドを備える、イーサネット同期メッセージングチャネル「ＥＳＭＣ」メッセージを、同期イーサネット「ＳｙｎｃＥ」ドメイン（１）を通じて送信するように構成された手段とを備える、宛先境界ハイブリッドノード（２１）。
【請求項１４】
送信元境界ハイブリッドノード（１３）であって：
−  少なくとも１つが同期イーサネット「ＳｙｎｃＥ」ドメイン（１）のマスタークロック値に関連付けられる、タイプ長さ値「ＴＬＶ」フィールドを備える、イーサネット同期メッセージングチャネル「ＥＳＭＣ」メッセージ（５）を受信するように構成された手段と、
−  受信された同期イーサネット「ＳｙｎｃＥ」ドメイン（１）のマスタークロック値と、同期光ネットワーキング／同期デジタル階層「ＳＯＮＥＴ−ＳＤＨ」ドメイン（３）のマスタークロック値との間のオフセットを決定するように構成された手段と、
−  １５８８Ｖ２プロトコルのＡＮＮＯＵＮＣＥメッセージ（１２）のフィールド内に、オフセット値を符号化および挿入するように構成された手段と、
−  クロックオフセット値に関連付けられたフィールドを備えるＡＮＮＯＵＮＣＥメッセージ（１２）を、同期光ネットワーキング／同期デジタル階層「ＳＯＮＥＴ−ＳＤＨ」ドメイン（３）を通じて、トンネル内で、カプセル化および送信するように構成された手段とを備える、送信元境界ハイブリッドノード（１３）。
【請求項１５】
宛先境界ハイブリッドノード（２１）であって：
−  同期光ネットワーキング／同期デジタル階層「ＳＯＮＥＴ−ＳＤＨ」ドメイン（３）を通じて、トンネル（１９）内で送信された、クロックドメイン値に関連付けられたフィールドを備える、１５８８Ｖ２プロトコルのＡＮＮＯＵＮＣＥメッセージ（１２）を、受信およびカプセル化解除するように構成された手段と、
−  同期光ネットワーキング／同期デジタル階層「ＳＯＮＥＴ−ＳＤＨ」ドメイン（３）のマスタークロック値、および、受信されたクロックオフセット値に基づいて、同期イーサネット「ＳｙｎｃＥ」ドメイン（１）のマスタークロック値を取り出すように構成された手段と、
−  取り出された同期イーサネット「ＳｙｎｃＥ」（１）ドメインのマスタークロック値に関連付けられた、タイプ長さ値「ＴＬＶ」フィールドを備える、イーサネット同期メッセージングチャネル「ＥＳＭＣ」メッセージ（５）を送信するように構成された手段とを備える、宛先境界ハイブリッドノード（２１）。
【発明の詳細な説明】
【技術分野】
【０００１】
本発明の実施形態は、通信ネットワークのドメインに関し、より詳細には、同期光ネットワーキング／同期デジタル階層（ＳＯＮＥＴ／ＳＤＨ）ドメインによって相互接続された２つの同期イーサネット（登録商標）（ＳｙｎｃＥ）ドメイン間の時間の分配に関する。
【背景技術】
【０００２】
この理由は、図１に示されたような同期周波数の物理的分配の観点から、ＳＯＮＥＴ／ＳＤＨおよびＳｙｎｃＥドメインに互換性があるためであり、図１では、同期されたイーサネット（ｓｙｎｃＥ）ノードＥ（図１ｂ）、または、ＳＯＮＥＴ／ＳＤＨおよびＳｙｎｃＥを共に有するものを意味するハイブリッドノードＨ（図１ｃ）が、ＳＯＮＥＴ／ＳＤＨノードＳおよび同期ユニット（同期供給ユニット）ＳＳＵを備える同期チェーンに挿入される。
【０００３】
したがって、同期状況は、電気電子技術者協会のプロトコル８０２．３（ＩＥＥＥ８０２．３）で指定されるようなタイプ長さ値（ＴＬＶ）構造を含む、イーサネット同期メッセージングチャネルメッセージ（ＥＳＭＣ）によって分配される。
【０００４】
現在、それらのＴＬＶ構造のうち１つのみが、国際電気通信連合（ＩＴＵ−Ｔ）によって標準化されており、これは、ＳＯＮＥＴ／ＳＤＨとの互換性を維持するために、同期信号の品質レベル（ＱＬ−ＴＬＶ）を示す、ＴＬＶフィールドである。
【０００５】
しかし、それらのＥＳＭＣメッセージの使用を最適化するため、詳細には、ＳｙｎｃＥドメインを通じて時間を分配するように、タイムスタンプ値を備えるＴＬＶ構造を導入するために、ＴＬＶ構造を追加するための提案が、ＵＩＴ−Ｔ内で提案されている。
【０００６】
２つのＳｙｎｃＥドメイン１が１つのＳＯＮＥＴ／ＳＤＨドメイン３によって相互接続される、図２に記載された構成では、追加のＴＬＶ構造７がある場合は（ＱＬ−ＴＬＶ構造９以外のものを意味する）、ＳｙｎｃＥ−ＳＯＮＥＴ／ＳＤＨインタフェース内でフィルタリングされる。この理由は、この情報がＳＯＮＥＴ／ＳＤＨヘッダ内で定義されておらず、また、既に構内に配置された大量のＳＯＮＥＴ／ＳＤＨ機器に強い影響を与えること（すなわち、ハードウェア変更）なしに、それらのヘッダのフォーマットを拡張するいかなる方式も、もはやないからである。
【発明の概要】
【発明が解決しようとする課題】
【０００７】
したがって、ＳＤＨ／ＳＯＮＥＴドメインによって相互接続された２つのＥＳＭＣドメイン間で、時間を分配することを可能にするようになる方法を提案する必要がある。
【課題を解決するための手段】
【０００８】
このため、本発明の実施形態は、第１および第２の同期イーサネット「ＳｙｎｃＥ」ドメイン間で時間を分配するための方法であり、前記第１および第２のドメインは、第３の、同期光ネットワーキング／同期デジタル階層「ＳＤＨ−ＳＯＮＥＴ」ドメインによって相互接続される方法であって、時間関連基準パラメータは、同期イーサネット「ＳｙｎｃＥ」ドメインを通じて、イーサネット同期メッセージングチャネル「ＥＳＭＣ」メッセージの少なくとも１つの追加のタイプ長さ値「ＴＬＶ」フィールドによって分配され、対応する時間関連基準パラメータは、同期光ネットワーキング／同期デジタル階層「ＳＯＮＥＴ−ＳＤＨ」ドメインを通じて、ＩＥＥＥ  １５８８  Ｖ２プロトコルのメッセージ内の少なくとも１つの追加のタイプ長さ値「ＴＬＶ」フィールドによって分配される、時間を分配するための方法に関する。
【０００９】
本発明の別の態様によれば、ＩＥＥＥ  １５８８  Ｖ２プロトコルメッセージがＳＹＮＣメッセージである。
【００１０】
本発明の追加の態様によれば、ＩＥＥＥ  １５８８  Ｖ２プロトコルメッセージがＡＮＮＯＵＮＣＥメッセージである。
【００１１】
本発明の別の態様によれば、同期イーサネット「ＳｙｎｃＥ」ドメインを通じて分配された時間関連基準パラメータが、少なくとも１つのタイムスタンプ値を備える。
【００１２】
本発明の追加の態様によれば、同期光ネットワーキング／同期デジタル階層「ＳＯＮＥＴ−ＳＤＨ」ドメインを通じて分配された対応する時間関連基準パラメータが、タイムスタンプ値を備える。
【００１３】
本発明の追加の態様によれば、同期光ネットワーキング／同期デジタル階層「ＳＯＮＥＴ−ＳＤＨ」ドメインのノードによる、ＩＥＥＥ１５８８Ｖ２プロトコルのメッセージの前記少なくとも１つの追加のタイプ長さ値「ＴＬＶ」フィールドの値に対する変更を可能にするように、受信されたイーサネット同期メッセージングチャネル「ＥＳＭＣ」メッセージの少なくとも１つの追加のタイプ長さ値「ＴＬＶ」フィールドから、ＩＥＥＥ１５８８Ｖ２プロトコルのメッセージへのマッピングが、同期ネットワークマネージャによって、送信元境界ハイブリッドノード内で実行される。
【００１４】
本発明の別の態様によれば、ＩＥＥＥ１５８８Ｖ２プロトコルのメッセージが、マルチプロトコルラベルスイッチング「ＭＰＬＳ」トンネルにカプセル化される。
【００１５】
本発明の追加の態様によれば、ＩＥＥＥ１５８８Ｖ２プロトコルのメッセージが、仮想ローカルエリアネットワーク「ＶＬＡＮ」トンネルにおいてカプセル化される。
【００１６】
本発明の追加の態様によれば、ＩＥＥＥ１５８８Ｖ２プロトコルのメッセージを搬送するトンネルが、物理層上で送信された同調信号と同じルートを取る。
【００１７】
本発明の別の態様によれば、受信されたＩＥＥＥ１５８８Ｖ２プロトコルメッセージの少なくとも１つの追加のタイプ長さ値「ＴＬＶ」フィールドから、イーサネット同期メッセージングチャネル「ＥＳＭＣ」メッセージへのマッピングが、同期ネットワークマネージャによって、宛先境界ハイブリッドノード内で行われる。
【００１８】
本発明の別の態様によれば、同期イーサネット「ＳｙｎｃＥ」ドメインを通じて分配された時間関連基準パラメータが、ＳｙｎｃＥドメインのマスタークロック値を備える。
【００１９】
本発明の追加の態様によれば、同期光ネットワーキング／同期デジタル階層「ＳＯＮＥＴ−ＳＤＨ」ドメインを通じて分配された対応する時間関連基準パラメータが、同期イーサネット「ＳｙｎｃＥ」ドメインのマスタークロックと、同期光ネットワーキング／同期デジタル階層「ＳＯＮＥＴ−ＳＤＨ」ドメインのマスタークロックとの間のオフセット値を備える。
【００２０】
本発明の別の態様によれば、クロックオフセット値が、送信元境界ハイブリッドノード内で決定される。
【００２１】
本発明の追加の態様によれば、ＡＮＮＯＵＮＣＥメッセージが、マルチプロトコルラベルスイッチング「ＭＰＬＳ」トンネル内でカプセル化される。
【００２２】
本発明の追加の態様によれば、第１の同期イーサネット「ＳｙｎｃＥ」ドメインのマスタークロック値が、同期光ネットワーキング／同期デジタル階層「ＳＯＮＥＴ−ＳＤＨ」ドメインのマスタークロック値、および、ＡＮＮＯＵＮＣＥメッセージによって送信されたオフセット値に基づいて、宛先境界ハイブリッドノード内で取り出される。
【００２３】
本発明の追加の態様によれば、ＳＯＮＥＴ／ＳＤＨドメインのノード内でそれらのフィールドの更新を可能にするように、イーサネット同期メッセージングチャネル「ＥＳＭＣ」メッセージのＴＬＶフィールドの、ＡＮＮＯＵＮＣＥメッセージの新しいＴＬＶフィールドへのマッピングが実行される。
【００２４】
本発明の実施形態はまた、送信元境界ハイブリッドノードであって：
−  同期イーサネット「ＳｙｎｃＥ」ドメインのマスタークロック値に関連付けられた、少なくとも１つのタイプ長さ値「ＴＬＶ」フィールドを備える、イーサネット同期メッセージングチャネル「ＥＳＭＣ」メッセージを受信するように構成された手段と、
−  少なくとも１つがマスタークロック値に関連付けられる、イーサネット同期メッセージングチャネル「ＥＳＭＣ」メッセージのタイプ長さ値「ＴＬＶ」フィールドを、１５８８Ｖ２プロトコルのＳＹＮＣまたはＡＮＮＯＵＮＣＥメッセージの追加のタイプ長さ値「ＴＬＶ」フィールドでマッピングするように構成された手段と、
−  前記追加のタイプ長さ値「ＴＬＶ」フィールドを備えるＳＹＮＣまたはＡＮＮＯＵＮＣＥメッセージを、同期光ネットワーキング／同期デジタル階層「ＳＯＮＥＴ−ＳＤＨ」ドメインを通じて、トンネル内で、カプセル化および送信するように構成された手段とを備える、送信元境界ハイブリッドノードにも関する。
【００２５】
本発明の実施形態はまた、宛先境界ハイブリッドノードであって：
−  少なくとも１つがマスタークロック値に関連付けられる、タイプ長さ値「ＴＬＶ」フィールドを備える、１５８８Ｖ２プロトコルのＳＹＮＣまたはＡＮＮＯＵＮＣＥメッセージを受信およびカプセル化解除するように構成された手段であって、前記メッセージは、同期光ネットワーキング／同期デジタル階層「ＳＯＮＥＴ−ＳＤＨ」ドメインを通じて、トンネル内で送信された手段と、
−  少なくとも１つがマスタークロック値に関連付けられる、送信されたＳＹＮＣまたはＡＮＮＯＵＮＣＥメッセージのタイプ長さ値「ＴＬＶ」フィールドを、イーサネット同期メッセージングチャネル「ＥＳＭＣ」メッセージのタイプ長さ値「ＴＬＶ」フィールドでマッピングするように構成された手段と、
−  少なくとも１つがマスタークロック値に関連付けられる、タイプ長さ値「ＴＬＶ」フィールドを備える、イーサネット同期メッセージングチャネル「ＥＳＭＣ」メッセージを、同期イーサネット「ＳｙｎｃＥ」ドメインを通じて送信するように構成された手段とを備える、宛先境界ハイブリッドノードにも関する。
【００２６】
本発明の実施形態はまた、送信元境界ハイブリッドノードであって：
−  少なくとも１つがＳｙｎｃＥドメインのマスタークロック値に関連付けられる、タイプ長さ値「ＴＬＶ」フィールドを備える、イーサネット同期メッセージングチャネル「ＥＳＭＣ」メッセージを受信するように構成された手段と、
−  受信された同期イーサネット「ＳｙｎｃＥ」ドメインのマスタークロック値と、同期光ネットワーキング／同期デジタル階層「ＳＯＮＥＴ−ＳＤＨ」ドメインのマスタークロック値との間のオフセットを決定するように構成された手段と、
−  １５８８Ｖ２プロトコルのＡＮＮＯＵＮＣＥメッセージのフィールド内に、オフセット値を符号化および挿入するように構成された手段と、
−  クロックオフセット値に関連付けられたフィールドを備えるＡＮＮＯＵＮＣＥメッセージを、同期光ネットワーキング／同期デジタル階層「ＳＯＮＥＴ−ＳＤＨ」ドメインを通じて、トンネル内で、カプセル化および送信するように構成された手段とを備える、送信元境界ハイブリッドノードにも関する。
【００２７】
本発明の実施形態はまた、宛先境界ハイブリッドノードであって：
−  同期光ネットワーキング／同期デジタル階層「ＳＯＮＥＴ−ＳＤＨ」ドメインを通じて、トンネル内で送信された、クロックドメイン値に関連付けられたフィールドを備える、１５８８Ｖ２プロトコルのＡＮＮＯＵＮＣＥメッセージを、受信およびカプセル化解除するように構成された手段と、
−  同期光ネットワーキング／同期デジタル階層「ＳＯＮＥＴ−ＳＤＨ」ドメインのマスタークロック値、および、受信されたクロックオフセット値に基づいて、同期イーサネット「ＳｙｎｃＥ」ドメインのマスタークロック値を取り出すように構成された手段と、
−  取り出された同期イーサネット「ＳｙｎｃＥ」ドメインのマスタークロック値に関連付けられた、タイプ長さ値「ＴＬＶ」フィールドを備える、イーサネット同期メッセージングチャネル「ＥＳＭＣ」メッセージを送信するように構成された手段とを備える、宛先境界ハイブリッドノードにも関する。
【００２８】
本発明の他の特徴および利点は、添付の図面を参照して与えられる以下の説明から明らかとなり、これらの図面は、非限定的な実施例として、１つの可能な実施形態を示す。
【図面の簡単な説明】
【００２９】
【図１】ａ）は、ＳＤＨ／ＳＯＮＥＴノードのみを備える、第１のタイプの同期チェーンの概略図である。ｂ）は、ＳＤＨ／ＳＯＮＥＴノードおよび同期イーサネット（ＳｙｎｃＥ）ノードを備える、第２のタイプの同期チェーンの概略図である。ｃ）は、ＳＤＨ／ＳＯＮＥＴノードおよびＳＤＨ／ＳＯＮＥＴ−ＳｙｎｃＥハイブリッドノードを備える、第３のタイプの同期チェーンの概略図である。
【図２】２つのＳｙｎｃＥドメインがＳＤＨ／ＳＯＮＥＴドメインによって相互接続される、同期構成の図である。
【図３】図２に提示されたドメイン内で時間を分配する手段を示す図である。
【図４】ＥＳＭＣメッセージの追加のＴＬＶフィールド内で受信された値をマッピングすることによって得られたタイムスタンプ値が、ＳＯＮＥＴ／ＳＤＨドメイン内で、ＭＰＬＳまたはＶＬＡＮトンネルを通して、ＩＥＥＥ１５８８Ｖ２プロトコルのメッセージの追加のＴＬＶフィールドによって送信される、時間の分配を示す図である。
【図５】ＳｙｎｃＥおよびＳＯＮＥＴ／ＳＤＨドメインのマスタークロックを比較することによって得られたクロックオフセット値が、ＳＯＮＥＴ／ＳＤＨドメイン内で、ＭＰＬＳトンネルを通して、ＡＮＮＯＵＮＣＥメッセージの追加のＴＬＶフィールドによって送信される、時間の分配を示す図である。
【発明を実施するための形態】
【００３０】
以下の説明では、一般に次の通りである：
「ＥＳＭＣ」という用語は、イーサネット同期メッセージングチャネル（Ｅｔｈｅｒｎｅｔ  Ｓｙｎｃｈｒｏｎｉｚａｔｉｏｎ  Ｍｅｓｓａｇｉｎｇ  Ｃｈａｎｎｅｌ）を表す。
【００３１】
「ＩＥＥＥ」という用語は、電気電子技術者協会（Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ）を表す。
【００３２】
「ＳＯＮＥＴ」という用語は、同期光ネットワーキング（Ｓｙｎｃｈｒｏｎｏｕｓ  Ｏｐｔｉｃａｌ  Ｎｅｔｗｏｒｋｉｎｇ）を表す。
【００３３】
「ＳＤＨ」という用語は、同期デジタル階層（Ｓｙｎｃｈｒｏｎｏｕｓ  Ｄｉｇｉｔａｌ  Ｈｉｅｒａｒｃｈｙ）を表す。
【００３４】
「ＴＬＶ」という用語は、タイプ長さ値（Ｔｙｐｅ  Ｌｅｎｇｔｈ  Ｖａｌｕｅ）を表す。
【００３５】
「ＱＬ」という用語は、品質レベル（Ｑｕａｌｉｔｙ  Ｌｅｖｅｌ）である。
【００３６】
「ＳｙｎｃＥ」という用語は、同期イーサネット（Ｓｙｎｃｈｒｏｎｏｕｓ  Ｅｔｈｅｒｎｅｔ）を表す。
【００３７】
「ＭＰＬＳ」という用語は、マルチプロトコルラベルスイッチング（Ｍｕｌｔｉ  Ｐｒｏｔｏｃｏｌ  Ｌａｂｅｌ  Ｓｗｉｔｃｈｉｎｇ）を表す。
【００３８】
「カプセル化」という用語は、パケットに対するカプセル化を指し、カプセル化では、パケットは、異なるプロトコルによって管理された別のドメインに送信可能となるように、プロトコル構造（ヘッダ、チェックサムなどを備える）内に入れられる。「カプセル化解除」という用語は、逆の動作を指し、その結果は、最初のパケットである。
【００３９】
「境界ハイブリッドノード」という用語は、２つのドメイン間（この状況では、ＳＯＮＥＴ／ＳＤＨドメインとＳｙｎｃＥドメインの間を意味する）の接合点に位置し、ＳＯＮＥＴ／ＳＤＨおよびＳｙｎｃＥインタフェースを共に備えるノードを指す。
【００４０】
本発明の実施形態は、ＳｙｎｃＥドメインにおいてＥＳＭＣメッセージ内で送信され、ＳＯＮＥＴ／ＳＤＨドメインのＩＥＥＥ１５８８Ｖ２プロトコルのＳＹＮＣ（またはＡＮＮＯＵＮＣＥ）メッセージに組み込まれた、追加のタイプ長さ値を使用する、ＳＯＮＥＴ／ＳＤＨドメインによって相互接続された２つのＳｙｎｃＥドメイン間の時間の分配に関する。
【００４１】
図３は、図２に提示された構成を指し、時間基準は、ＳｙｎｃＥドメイン１内では、追加のＴＬＶフィールド７によって、また、ＳＯＮＥＴ／ＳＤＨドメイン３内では、１５８８Ｖ２プロトコルの（ＳＹＮＣ（またはＡＮＮＯＵＮＣＥ））メッセージ１１内で、分配される。ネットワーク時間プロトコル（ＮＴＰ）のような、他のプロトコルが、ＳＯＮＥＴ／ＳＤＨドメイン内でタイムスタンプ値を搬送するために使用されてもよいことに留意されたい。
【００４２】
ＳｙｎｃＥドメイン１内で、時間は、追加のＴＬＶフィールド７内のＥＳＭＣメッセージ５に挿入されたタイムスタンプ値によって分配されてもよい。
【００４３】
図４に示された第１の実施形態によれば、ＥＳＭＣ拡張は、また詳細には、追加のＴＬＶフィールド７によって搬送されたタイムスタンプ値は、ＳｙｎｃＥドメイン１とＳＯＮＥＴ／ＳＤＨドメイン３の間のインタフェースに位置する、送信元境界１３ハイブリッドノードＨによって受信される。ＥＳＭＣメッセージ５の追加のＴＬＶフィールド７を、ＳＯＮＥＴ／ＳＤＨドメイン３中に送信されることが意図されたＩＥＥＥ１５８８Ｖ２プロトコルのＳＹＮＣ（またはＡＮＮＯＮＣＥ）メッセージ１１上へ置き換えるために、マッピング１５が次いで、ハイブリッドノードによって行われる。このマッピングは、必要に応じて（例えば、遭遇したノードの数をカウントするためのフィールド、すなわち、「ホップカウント」がある場合）、ＳＯＮＥＴ／ＳＤＨドメイン３のノードＳによる、ＩＥＥＥ１５８８Ｖ２プロトコルのメッセージ１１の追加のＴＬＶフィールド７の更新を可能にする。
【００４４】
加えて、良好な作業順序を保証するために、ＩＥＥＥ１５８８Ｖ２プロトコルのメッセージ１１は、物理層上で送信された同調信号２３のルートをたどらなければならない（ＳＹＮＣ（またはＡＮＮＯＵＮＣＥ）メッセージ１１は、パケット層上で送信されている）。この制約は、宛先境界ハイブリッドノード２１へのトンネル１９、例えば、マルチプロトコルラベルスイッチング（ＭＰＬＳ）または仮想ローカルエリアネットワーク（ＶＬＡＮ）トンネルを作成し、同調信号２３のルートをたどることによって、保証される。
【００４５】
したがって、送信元境界ハイブリッドノード１３は、ネットワークマネージャおよび同期ネットワークマネージャ１７から情報を受信し、それにより、前記トンネル１９を作成することが可能になる（この情報はまた、宛先境界ハイブリッドノード２１にも送信される）。
【００４６】
加えて、異なるドメイン内で同じ応答性（時間分配に関して、特に重要である）を維持するために、ＳＹＮＣ（またはＡＮＮＯＵＮＣＥ）メッセージ１１のレート（メッセージレート）は、ＥＳＭＣメッセージのハートビート周期以上となるように構成されなければならないことに留意されたい。
【００４７】
さらに、上記のように、ＳＯＮＥＴ／ＳＤＨドメイン３のノードＳ内で、例えば、遭遇したノードの数（「ホップカウント数」）またはルート（「トレースルート」）に対応するフィールドなど、ＴＬＶフィールドが更新され、提案された解決策は、したがって、様々なタイプのＴＬＶフィールドの送信を可能にする。
【００４８】
宛先境界２１ハイブリッドノードＨ内で、ＳＹＮＣ（またはＡＮＮＯＵＮＣＥ）メッセージ１１が受信されるとき、送信元境界ハイブリッドノード１３内で実行されたマッピング１５の逆であるマッピング２５が実行され、それにより、ＳＹＮＣ（またはＡＮＮＯＵＮＣＥ）メッセージのＴＬＶフィールドを、第２のＳｙｎｃＥドメイン１中に送信されるために、ＥＳＭＣメッセージ５へ置き換えることが可能となる。
【００４９】
図５に提示された第２の実施形態によれば、送信元境界ハイブリッドノードＨ内で、受信されたＥＳＭＣメッセージ５のＴＬＶフィールドは詳細には、ＳｙｎｃＥ１ドメインのマスタークロック値Ｔｉｎ（ｔ）を備える。この値は次いで、１５８８Ｖ２プロトコルによってＳＯＮＥＴ／ＳＤＨドメイン３内で分配された、フィールドＳＯＮＥＴ／ＳＤＨ３のマスタークロック値Ｔｒｅｆ（ｔ）と、これら２つのマスタークロック間のオフセット（Ｔ＿ｏｆｆｓｅｔ（ｔ）＝Ｔｉｎ（ｔ）−Ｔｒｅｆ（ｔ））を決定するために、比較される。
【００５０】
複数のマスタークロックの存在は、異なるドメインが一般に、それ自体のマスタークロックをそれぞれ有する異なるネットワーク事業者によって管理されるという事実によって、説明される。また、勧告ＵＩＴ＿Ｔ  Ｇ．８１１で指定されているように（２つの異なるドメインに関連付けられた）２つの基準クロック（プライマリ基準クロック）は、１日につき１μｓより多く、互いから大きく異なることがあることにも留意されたい。
【００５１】
そのような場合、オフセット値Ｔ＿ｏｆｆｓｅｔは次いで、送信元境界ハイブリッドノード１３に符号化され、ＩＥＥＥ  １５８８Ｖ２プロトコルのＡＮＮＯＵＮＣＥメッセージ１２の新しいＴＬＶフィールドに挿入される。ＳＯＮＥＴ／ＳＤＨドメイン３のノード内でそれらのフィールドの更新を可能にするように、ＥＳＭＣメッセージのＴＬＶフィールドの、ＡＮＮＯＵＮＣＥメッセージ１２の新しいＴＬＶフィールド上へのマッピングもまた、実行されてもよい。
【００５２】
前記メッセージは次いで、トンネル１９、例えば、ＭＰＬＳトンネル内でカプセル化されて、宛先境界ハイブリッドノード２１へ送信される。
【００５３】
さらに、２つのマスタークロック値（Ｔｉｎ（ｔ）およびＴｒｅｆ（ｔ））もまた、オフセット値の代わりに、ＴＬＶフィールド内で送信されてもよいことに留意されたい。
【００５４】
宛先境界２１ハイブリッドノードＨ内で、ＡＮＮＯＵＮＣＥメッセージ１２がオフセット値を備えるときは常に、ＳｙｎｃＥ（Ｔｉｎ（ｔ＋δｔ））ドメインのマスタークロックの基準時間は、１５８８Ｖ２プロトコルによって分配されたＳＯＮＥＴ／ＳＤＨドメイン３のマスタークロック値（Ｔｒｅｆ（ｔ＋δｔ））、および、ＡＮＮＯＵＮＣＥメッセージ１２によって送信されたクロックオフセット（Ｔ＿ｏｆｆｓｅｔ（ｔ））から、以下のように取り出される：
Ｔｉｎ（ｔ＋δｔ）＝Ｔｒｅｆ（ｔ＋δｔ）＋Ｔ＿ｏｆｆｓｅｔ（ｔ）
【００５５】
同様に、クロックオフセット値は、１５８８Ｖ２プロトコルのＡＮＮＯＵＮＣＥメッセージ１２の予約されたフィールドによって、ＳＯＮＥＴ／ＳＤＨドメイン３を通して送信されてもよい。
【００５６】
ＳｙｎｃＥドメイン１のマスタークロック値（Ｔｉｎ（ｔ＋δｔ））が宛先境界ハイブリッドノードから取り出された後、時間分配が次いで、ＥＳＭＣメッセージ５によって、第２のＳｙｎｃＥドメイン１中で行われてもよい。
【００５７】
このようにして、本発明の実施形態は、ＳｙｎｃＥドメイン内ではＥＳＭＣメッセージの、および、ＳＯＮＥＴ／ＳＤＨドメイン内では１５８８Ｖ２プロトコルのＳＹＮＣまたはＡＮＮＯＵＮＣＥメッセージの、追加のＴＬＶフィールドを使用して、ＳＯＮＥＴ／ＳＤＨドメインによって相互接続された第１および第２のＳｙｎｃＥドメイン間で時間を送信することを可能にする。
【図１】
2013534109.tif 000003
【図２】
2013534109.tif 000004
【図３】
2013534109.tif 000005
【図４】
2013534109.tif 000006
【図５】
2013534109.tif 000007
【国際調査報告】
2013534109.tif 000008
2013534109.tif 000009
2013534109.tif 000010
2013534109.tif 000011
2013534109.tif 000012
2013534109.tif 000013